(57)【要約】【課題】シリンダの接続相手器具におけるロック機構の有無に影響されずに、不都合なく接続相手器具と接続可能な汎用性の高いシリンジを提供する。【解決手段】ポートに接続する医療用シリンジであって、前記接続の保持力を高める筒状のロックナット部１３０が、延出部１４０先端近傍の第１位置と延出部１４０先端から遠い第２位置との間を移動可能な状態で延出部１４０またはシリンジ部１２０に摺設されてなり、前記接続補助部材が前記第２位置に移動したとき、延出部１４０先端が露出する。【選択図】      図１
2005021503.tif 000002
【特許請求の範囲】
【請求項１】
ポートに接続する医療用シリンジであって、
前記接続の保持力を高める筒状の接続補助部材が、ルアー部先端近傍の第１位置と前記ルアー部先端から遠い第２位置との間を移動可能な状態で前記ルアー部または本体部に摺設されてなり、
前記接続補助部材が前記第２位置に移動したとき、ルアー部先端が露出することを特徴とするシリンジ。
【請求項２】
前記接続補助部材が前記第１位置まで移動したとき、前記第１位置から前記ルアー部先端側への移動を抑止するように前記接続補助部材に当接する当接部が前記ルアー部または前記本体部に設けられていることを特徴とする請求項１記載のシリンジ。
【請求項３】
前記摺設は、前記接続補助部材に設けられた貫通穴に前記ルアー部または前記本体部が挿嵌されることによりなされ、
前記当接部は、前記ルアー部または前記本体部の外周に設けられている、径大部であって、その表面に螺旋溝が刻設されていることを特徴とする請求項２記載のシリンジ。
【請求項４】
前記接続補助部材は、前記第２位置において、少なくとも自重で落下しない程度の保持力で、前記ルアー部または前記本体部に嵌合することを特徴とする請求項１記載のシリンジ。
【発明の詳細な説明】
【０００１】
【発明の属する技術分野】
本発明は、医療用シリンジに関し、特に、シリンジの汎用性を高める技術に関する。
【０００２】
【従来の技術】
近年、いわゆる注射筒などの医療用シリンジは、多様なタイプのものが製造されており、例えば、特定のポートと強固に接続するためロック機構を備えたシリンジがある（例えば、特許文献１）。
より具体的には、図８（ａ）に示すようにシリンジ１０００は、薬液１１１０を収容するシリンジ本体部１１２１の端部から円筒状のルアー部１１４１が延出されており、このルアー部１１４１の略中央に設けられた段差部１１４３と前記シリンジ本体部１１２１の端部との間に円筒状のロックナット１１３０が回転可能な状態で挿嵌されており、前記シリンジ本体部１１２１の開口部には、プランジャ１１５０が挿入されてなる。
【０００３】
混注ポート１２００は、輸液ラインなどの流路となるポート本体部１２０１の側面において、上記シリンジ１０００のルアー部１１４１の挿入先となるゴム製の弁体１２０４が円筒状のカバー本体部１２０２に内接し、挟持されてなる。
また、上記カバー本体部１２０２には、上記ロックナット１１３０と螺合するネジ部１２０３が刻設されている。
【０００４】
上記シリンジ１０００を混注ポート１２００に接続しようとすれば、接続を実施する者は、ルアー部１１４１を目視できない状態で、このルアー部１１４１を上記弁体１２０４のスリットに差し込みつつ、ロックナット１１３０を回転させながら締め込むこととなる。
ところで、上記ロックナット１１３０などの接続補助具を用いて、シリンジと混注ポートなどのシリンジの接続相手器具とが簡単に外れないようにするロック機構を有するものをルアーロックタイプという。
【０００５】
これに対し、シリンジとシリンジの接続相手器具とが簡単に挿抜できる構造となっているものをルアースリップタイプという。
より具体的には、ルアースリップタイプのシリンジは、例えば、ロックナット１１３０などの接続補助具がない点でルアーロックタイプのシリンジとは異なる。
【０００６】
また、ルアースリップタイプの混注ポートは、例えば、ロックナット１１３０に対応するネジ部などの嵌合部が設けられていない点でルアースリップタイプの混注ポートとは異なる。
通常、ルアーロックタイプのシリンジとルアーロックタイプの混注ポートとの組み合わせ、または、ルアースリップタイプのシリンジとルアースリップタイプの混注ポートとの組み合わせで、使用されることとなる。
【０００７】
【特許文献１】実開平６−６６６４１号公報
【０００８】
【発明が解決しようとする課題】
しかしながら、このような接続補助具を備えるシリンジは、図９に示すように、ロックナット１１３０がルアー部１１４１を覆い隠すため、シリンジ１０００を混注ポート１２００に接続しようとする者は、ルアー部１１４１先端を弁体１２０４の孔に挿入する際、通常の作業姿勢において、これらが見えない状態で上記挿入を実施するため、スムーズに挿入できず、挿入完了まで時間を要してしまうという問題がある。
【０００９】
ルアースリップタイプの混注ポートでは、シリンジの迅速な挿抜が想定されており、上述のようにシリンジの挿入に時間を要することは好ましくない。
さらに、医療現場では、両タイプの混注ポートが共に用いられることがあるので、図９（ａ）及び（ｂ）に示すように、ルアーロックタイプのシリンジとルアースリップタイプの混注ポートとの組み合わせで使用することも考えられる。
【００１０】
このようにルアーロックタイプのシリンジとルアースリップタイプの混注ポートとが対で使用される場合、機能的にはシリンジが混注ポートから簡単に外れるスリップタイプとして使用されることとなるが、このような組み合わせて使用することは、本来想定していない使用方法であるため、例えば、混注ポート１２００のカバー本体部１２０２とシリンジ１０００のロックナット１１３０が干渉して、接続ができない場合もある。
【００１１】
このように、接続補助部材を備えるシリンジの汎用性における課題は、迅速で正確な対応を求められる医療現場の要求から早急に改善が望まれている。
本発明は、以上の課題に鑑みて為されたものであって、その目的は、シリンダの接続相手器具におけるロック機構の有無に影響されずに、不都合なく接続相手器具と接続可能な汎用性の高いシリンジを提供することにある。
【００１２】
【課題を解決するための手段】
上記の目的を達成するために、本発明に係るシリンジは、ポートに接続する医療用シリンジであって、前記接続の保持力を高める筒状の接続補助部材が、ルアー部先端近傍の第１位置と前記ルアー部先端から遠い第２位置との間を移動可能な状態で前記ルアー部または本体部に摺設されてなり、前記接続補助部材が前記第２位置に移動したとき、ルアー部先端が露出することを特徴とする。
【００１３】
通常、接続補助部材は、ルアー部先端近傍でポートと係合するものであるから、前記保持力を高めようとするときに、第１位置に移動させることにより前記係合を実施することができ、さらに、前記接続を実施するときには、接続補助部材を第２位置に移動させることにより、前記接続を行う箇所の視認性を高めて迅速な接続を実施することができ、さらに、前記接続補助部材と前記ポートとの干渉を避けることができるため、従来と同様にルアーロックタイプとして不都合なく使用することができ、シリンジの汎用性が高められる。
【００１４】
また、前記接続補助部材が前記第１位置まで移動したとき、前記第１位置から前記ルアー部先端側への移動を抑止するように前記接続補助部材に当接する当接部が前記ルアー部または前記本体部に設けられているとすることが好ましい。
これにより、ルアー部がポートに挿入された状態で、接続補助部材とポートとを係合することにより、シリンジとポートとの相対的位置が固定される。
【００１５】
また、前記摺設は、前記接続補助部材に設けられた貫通穴に前記ルアー部または前記本体部が挿嵌されることによりなされ、前記当接部は、前記ルアー部または前記本体部の外周に設けられている、径大部であって、その表面に螺旋溝が刻設されているとすることが好ましい。
これにより、当接部を乗り越えて前記挿嵌を実施する場合、前記螺旋溝に沿って接続補助部材を回転させながら挿嵌することにより、作業者の負担を軽減することができる。
【００１６】
また、前記接続補助部材は、前記第２位置において、少なくとも自重で落下しない程度の保持力で、前記ルアー部または前記本体部に嵌合することが好ましい。
これにより、接続補助部材を第２位置に移動させたとき、接続補助部材とルアー部または本体部との位置関係が固定されるため、自然落下などによる接続補助部材の位置ずれが防止される。
【００１７】
【発明の実施の形態】
（第１の実施形態）
図１（ａ）、（ｂ）及び（ｃ）は、第１の実施形態におけるシリンジを説明する図である。
シリンジ１００は、ルアーロックタイプの混注ポート及びルアースリップタイプの混注ポートのいずれにも迅速な挿抜が可能であって、薬液１１０が予め封入されたプレフィルドシリンジである。
【００１８】
このシリンジ１００は、薬液１１０が円筒状のシリンジ部１２０に充填された後、プランジャ部１５０により封止され、シリンジ部１２０の一端にロックナット部１３０が挿設されてなる。
シリンジ部１２０は、筒状のシリンジ本体部１２１の一端（以下、「第１端」という。）から筒状の延出部１４０が延出され、第１端と相反する側の端（以下、「第２端」という。）にフランジ部１２１ａが配されてなる。
【００１９】
延出部１４０は、上記第１端に円筒状の第１ルアー部１４４が接続されており、さらに、当該接続がなされていない第１ルアー部１４４のもう一方の端から円筒状の第２ルアー部１４１が延出され、第２ルアー部１４１の略中央に略筒状のストッパ部１４３が周設されてなる。
このストッパ部１４３は、略テーパ形状となっており、より具体的には、第１ルアー部１４４がある側の径ｄ１よりも第２ルアー部１４１の先端部がある側の径ｄ１’が細くなっており、さらに、その外周表面には、螺旋溝が刻設されている。
【００２０】
また、第１ルアー部１４４の外径をｄ２、第２ルアー部１４１の外径をｄ３とすると、ｄ１＞ｄ２＞ｄ３の関係にある。
ロックナット部１３０は、混注ポートなどの器具と係合するための軟質の樹脂材料からなる有底円筒状のナットであって、底面の円筒中心に内径ｄ４の貫通穴が設けられている。
【００２１】
そして、この貫通穴に上記延出部１４０が上記第１端とストッパ部１４３との間を移動可能な状態で挿嵌されている。
第１ルアー部１４４、第２ルアー部１４１及びストッパ部１４３の位置関係は、ロックナット部１３０が上記第１端に最も近づいたとき、第２ルアー部１４１先端（好ましくは、ストッパ部１４３）が露出するように設定されている。
【００２２】
ここで、第２ルアー部１４１先端またはストッパ部１４３が露出する位置とは、シリンジ１００と混注ポート（２０１または２１０）とを接続する者が通常の作業姿勢で第２ルアー部１４１先端またはストッパ部１４３を目視できる位置のことを意味する。
ｄ４の値は、上記貫通穴と第１ルアー部１４４及び第２ルアー部１４１のストッパ部１４３から根元側とが嵌合したとき、ロックナット部１３０が自重で落下せず、人の力で容易に移動できる程度の値に設定されており、ロックナット部１３０が、第１ルアー部１４４と嵌合している場合と、第２ルアー部１４１のストッパ部１４３から根元側と嵌合している場合とでは、第１ルアー部１４４と嵌合している場合の方が、嵌め合いがきつくなっている。  つまり、ｄ２及びｄ３の値は、ｄ４の値に極めて近い値であって、ｄ４の値よりも僅かに大きい関係にある。
【００２３】
また、ｄ４≧ｄ１’の関係にある。
プランジャ部１５０は、プランジャ本体部１５１の一端にゴム製のパッキン部１５２が周設されてなる。
混注ポート２００は、ルアーロックタイプの混注ポートであって、輸液ラインなどの流路となるポート本体部２０１の側面において、スリットが設けられたゴム製の弁体２０４が円筒状のカバー本体部２０２に内設して挟持され、カバー本体部２０２の外周にネジ溝部２０３が刻設されてなる。
【００２４】
図１（ｂ）に示すように、混注ポート２００にシリンジ１００を接続する場合、接続を実施する者は、ロックナット部１３０を第１ルアー部１４４まで移動させ、第２ルアー部１４１を露出させることにより、第２ルアー部１４１とその挿入先である弁体２０４のスリットが目視可能な状態となり、容易に第２ルアー部１４１を上記スリットに挿入することができる。
【００２５】
このように、第２ルアー部１４１を上記スリットに単に挿入した状態で、スリップタイプのシリンジ及び混注ポートとして使用することもできるが、さらに、上記接続の保持力を高めるため、図１（ｃ）に示すように、上記接続を実施する者は、ロックナット部１３０を第１ルアー部１４４まで降下させた後、回転させてロックナット部１３０とネジ溝部２０３とを螺合させることにより、混注ポート２００にシリンジ１００をしっかりと固定することができる。
【００２６】
また、図２（ａ）及び（ｂ）に示すように、上記ネジ溝部２０３がないスリップタイプの混注ポート２１０にシリンジ１００を接続する場合、接続を実施する者は、ロックナット部１３０を第１ルアー部１４４に移動させた状態のまま第２ルアー部１４１を弁体２０４のスリットに挿入することにより、目視で確認しながら接続操作することができる。
【００２７】
このとき、図３（ｃ）に示すように、ロックナット部１３０を第２ルアー部１４１の上端まで移動させることにより、上記貫通穴と第２ルアー部１４１との嵌め合いが適度にきつく設定されているため、ロックナット部１３０が位置的に固定される。
さらに、ストッパ部１４３が露出している状態では、カバー本体部２０２の外径がロックナット部１３０の内径よりも大きい場合であっても、カバー本体部２０２とロックナット部１３０との距離が離れているため、これらが互いに干渉して上記挿入を妨げることもない。
＜ロックナット部の延出部への挿入方法＞
シリンジ部１２０にロックナット部１３０を装着する際、ロックナット部１３０の貫通孔にシリンジ部１２０の延出部１４０が挿入されることとなる。
【００２８】
その場合、図３（ａ）及び（ｂ）に示すように、上記挿入を行う者は、ストッパ部１４３を乗り越えてロックナット部１３０を挿入する際、ロックナット部１３０を押し付けながらストッパ部１４３の外周に設けられたネジ溝部２０３に沿って回転させることにより大きな力を要することなく挿入することができる。
以上のように、本第１の実施形態のシリンジ１００は、ロックナット部１３０が、第２ルアー部１４１が露出する位置まで移動して、さらに、自重で落下しない程度に保持されるため、従来のルアースリップタイプのシリンジと同様に、ルアースリップタイプの混注ポート２１０への接続において、接続を行う者は、第２ルアー部１４１先端を挿入先となる弁体２０４のスリットに迅速に挿入することができる。
【００２９】
また、ルアーロックタイプの混注ポート２００への接続においても、ルアースリップタイプの混注ポート２１０への接続と同様にして、第２ルアー部１４１先端を挿入先となる弁体２０４のスリットに迅速に挿入した後、ロックナット部１３０を混注ポート２００のネジ溝部２０３に移動させて締めこむことにより、混注ポート２００とシリンジ１００とが強固に固定される。
【００３０】
なお、ロックナット部１３０の延出部１４０への挿入を容易にするために、図４に示すように、ロックナット部１３０の貫通穴の周囲にスリットを設け、ロックナット部１３０がストッパ部１４３を乗り越え易くしてもよい。
また、本第１の実施形態では、ストッパ部１４３の外周に螺旋溝を設けているが、これはあくまでも一例であって、ストッパ部１４３に螺旋溝が刻設されていなくてもよい。
（第２の実施形態）
本第２の実施形態におけるシリンジ３００は、第１の実施形態のシリンジ１００と同様に、ルアーロックタイプの混注ポート及びルアースリップタイプの混注ポートのいずれにも迅速な挿抜が可能であって、薬液１１０が予め封入されたプレフィルドシリンジである。
【００３１】
図５（ａ）に示すように、シリンジ３００は、漏斗状のルアー部３４０が先端に配された円筒状のシリンジ本体部３２１に薬液１１０が充填され、プランジャ部１５０により封止され、さらに、シリンジ本体部３２１に円筒状のロックナット部３３０が挿設されてなる。
上記ルアー部３４０とシリンジ本体部３２１との境界部には、ルアー部３４０の外径がシリンジ本体部３２１の外径よりも大きいことにより生じる段差部３４０ａが存在し、ルアー部３４０の上記境界部付近には、螺旋溝３４１が刻設されている。
【００３２】
この螺旋溝３４１が刻設されている目的は、第１の実施形態のストッパ部１４３に設けられた螺旋溝と同様に、ロックナット部３３０のシリンジ本体部３２１への挿入を容易することにある。
ロックナット部３３０は、貫通穴が設けられており、この貫通穴の径をｄ５とする。
【００３３】
上記シリンジ本体部３２１の外周の一部には、外径が他の部位よりも大きな径大部３２１ｂが存在し、この径大部３２１ｂの外径をｄ６、他の部位の外径をｄ７とする。
ｄ６の値は、ロックナット部３３０の貫通穴と径大部３２１ｂとが嵌合したとき、ロックナット部１３０が自重で落下せず、人の手の力で容易に移動できる程度の値に設定されている。
【００３４】
つまり、ｄ６の値は、ｄ５の値に極めて近い値であって、ｄ５の値よりも僅かに大きい関係にある。
ロックナット部３３０は、シリンジ本体部３２１の全域に渡って移動可能となっており、シリンジ本体部３２１の両端に存在するフランジ部３２１ａと段差部３４０ａとに当たることにより上記移動が抑止される。
【００３５】
図５（ｂ）に示すように、混注ポート２００にシリンジ３００を接続する場合、接続を実施する者は、ロックナット部３３０を径大部３２１ｂまで移動させることにより、ルアー部３４０とその挿入先である弁体２０４のスリットが目視可能な状態となり、容易にルアー部３４０を上記スリットに挿入することができる。
【００３６】
このように、ルアー部３４０を上記スリットに単に挿入した状態で、スリップタイプのシリンジ及び混注ポートとして使用することもできるが、さらに、上記接続の保持力を高めるため、図５（ｃ）に示すように、上記接続を実施する者は、ロックナット部３３０を段差部３４０ａ付近まで降下させた後、回転させてロックナット部３３０とネジ溝部２０３とを螺合させることにより、混注ポート２００にシリンジ３００をしっかりと固定することができる。
【００３７】
また、図６（ａ）及び（ｂ）に示すように、上記ネジ溝部２０３がないスリップタイプの混注ポート２１０にシリンジ３００を接続する場合、接続を実施する者は、ロックナット部３３０を径大部３２１ｂに移動させた状態のままルアー部３４０を弁体２０４のスリットに挿入することにより、上記挿入状況を目視で確認することができる。
【００３８】
さらに、カバー本体部２０２の外径がロックナット部３３０の内径よりも大きくなっている場合には、カバー本体部２０２とロックナット部３３０との距離が離れているため、これらが互いに干渉して上記挿入を妨げることもない。
以上のように、本第２の実施形態のシリンジ３００は、ロックナット部３３０が、ルアー部３４０の先端が露出するフランジ３２１ａの付近まで移動して、さらに、自重で落下しない程度に保持されるため、従来のルアースリップタイプのシリンジと同様に、ルアースリップタイプの混注ポート２１０への接続において、接続を行う者は、ルアー部３４０の先端の挿入先となる弁体２０４のスリットに迅速に挿入することができる。
【００３９】
ここで、ルアー部３４０の先端が露出する位置とは、シリンジ３００と混注ポート（２０１または２１０）とを接続する者が通常の作業姿勢でルアー部３４０の先端を目視できる位置のことを意味する。
また、ルアーロックタイプの混注ポート２００への接続においても、ルアースリップタイプの混注ポート２１０への接続と同様にして、ルアー部３４０の先端を挿入先となる弁体２０４のスリットに迅速に挿入した後、ロックナット部３３０を混注ポート２００の段差部３４０ａ付近まで移動させて、螺合することにより、混注ポート２００とシリンジ３００とが強固に固定される。
【００４０】
なお、本第２の実施形態では、ルアー部３４０に螺旋溝３４１が刻設されているが、これはあくまでも一例であって、ルアー部３４０に螺旋溝が刻設されていなくてもよい。
また、第１及び第２の実施形態において、シリンジ１００及び３００におけるロックナット部１３０及び３３０は、混注ポートなどの器具と係合するためのナットであるとしたが、これはあくまでも一例であって、ナットである必要はない。
【００４１】
例えば、図７に示すように、ロックナット部に代えて、爪部１３３ａ、ｂを有するロック部１３２を用いてもよい。
その場合、シリンジ側のロック機構の変更に伴って、ルアーロックタイプの混注ポートにおける係合部の構造を、例えば、図７に示すようにＬ字の溝２３１ａを２箇所に有する混注ポート２２０のようにする必要がある。
【００４２】
【発明の効果】
以上の説明から明らかなように、本発明に係るシリンジは、シリンジの接合相手器具と接合の保持力を高めるロックナットなどの接続補助部材が、シリンジの長手方向において移動可能な構造となっているため、必要に応じてシリンジの取り扱い者が、不都合が生じない場所に接続補助部材を移動させることにより、上記接合相手器具がルアーロックタイプであっても、ルアースリップタイプであっても、不都合なく接続することができる。
【００４３】
また、上記接続補助部材の上記移動を、この接続補助部材に当たることによって抑制するストッパなどの当接部に螺旋溝が設けられているため、シリンジの組み立て時において、上記螺旋溝に沿って上記接続補助部材回転挿入することにより、作業者の負荷を低減し、組み立て作業性を高めることができる
【図面の簡単な説明】
【図１】（ａ）は、第１の実施形態のシリンジを説明する図である（ルアーロックタイプの混注ポート挿入前）。（ｂ）は、第１の実施形態におけるシリンジを説明する図である（ルアーロックタイプの混注ポート挿入後）。（ｃ）は、第１の実施形態におけるシリンジを説明する図である（ロック後）。
【図２】（ａ）は、第１の実施形態のシリンジを説明する図である（ルアースリップタイプの混注ポート挿入前）。（ｂ）は、第１の実施形態におけるシリンジを説明する図である（ルアースリップタイプの混注ポート挿入後）。
【図３】（ａ）は、ロックナット部を延出部に挿入する直前の状況を示す図である。（ｂ）は、ロックナット部を延出部に挿入する状況を示す図である。（ｃ）は、ロックナット部を延出部に挿入した後の状況を示す図である。
【図４】ロックナット部の延出部への挿入容易性を高めるロックナット部貫通孔形状の一例を示す図である。
【図５】（ａ）は、第２の実施形態のシリンジを説明する図である（ルアーロックタイプの混注ポート挿入前）。（ｂ）は、第２の実施形態におけるシリンジを説明する図である（ルアーロックタイプの混注ポート挿入後）。（ｃ）は、第２の実施形態におけるシリンジを説明する図である（ロック後）。
【図６】（ａ）は、第２の実施形態のシリンジを説明する図である（ルアースリップタイプの混注ポート挿入前）。（ｂ）は、第２の実施形態におけるシリンジを説明する図である（ルアースリップタイプの混注ポート挿入後）。
【図７】シリンジのロック機構をナット以外のもので実現するものの一例を示す図である。
【図８】（ａ）は、従来のルアーロックタイプのシリンジを説明する図である（ルアーロックタイプの混注ポート挿入前）。（ｂ）は、従来のルアーロックタイプにおけるシリンジを説明する図である（ルアーロックタイプの混注ポート挿入後）。（ｃ）は、従来のルアーロックタイプにおけるシリンジを説明する図である（ロック後）。
【図９】（ａ）は、従来のルアーロックタイプのシリンジを説明する図である（ルアースリップタイプの混注ポート挿入前）。（ｂ）は、従来のルアーロックタイプにおけるシリンジを説明する図である（ルアースリップタイプの混注ポート挿入途中）。（ｃ）は、従来のルアーロックタイプにおけるシリンジを説明する図である（ルアースリップタイプの混注ポート挿入後）。
【符号の説明】
１００    シリンジ
１１０    薬液
１２０    シリンジ部
１２１    シリンジ本体部
１２１ａ  フランジ部
１３０    ロックナット部
１３２    ロック部
１３３ａ  爪部
１４０    延出部
１４１    ルアー部
１４３    ストッパ部
１４４    ルアー部
１５０    プランジャ部
１５１    プランジャ本体部
１５２    パッキン部
２００    混注ポート
２０１    ポート本体部
２０２    カバー本体部
２０３    ネジ溝部
２０４    弁体
２１０    混注ポート
２２０    混注ポート
２３１ａ  溝
３００    シリンジ
３２１    シリンジ本体部
３２１ａ  フランジ
３２１ａ  フランジ部
３２１ｂ  径大部
３３０    ロックナット部
３４０    ルアー部
３４０ａ  段差部
３４１    螺旋溝
【図１】
2005021503.tif 000003
【図２】
2005021503.tif 000004
【図３】
2005021503.tif 000005
【図４】
2005021503.tif 000006
【図５】
2005021503.tif 000007
【図６】
2005021503.tif 000008
【図７】
2005021503.tif 000009
【図８】
2005021503.tif 000010
【図９】
2005021503.tif 000011